(57)【要約】【課題】  変電設備の交換作業を簡略化できる変圧器盤を提供する。【解決手段】  高圧受電するために高圧を低圧に変換する変圧器１が載置された基台２と、変圧器１の二次側端子１ｂが配置された方向の基台２の端部に起立配置され、低圧端子台４が組み付けられた前面枠３とを備え、基台２の４隅には基台２を吊り上げるためのアイボルト２４が設けられて成ると共に、変圧器１の二次側端子１ｂと低圧端子台４とが低圧ケーブル１７で接続されている。【選択図】  図１
2018074892.tif 000002
【特許請求の範囲】
【請求項１】
高圧受電するために高圧を低圧に変換する変圧器が載置された基台と、前記変圧器の二次側端子が配置された方向の前記基台の端部に起立配置され、低圧端子台が組み付けられた前面枠とを備え、
前記基台の４隅には前記基台を吊り上げるための治具が設けられて成ると共に、前記変圧器の二次側端子と前記低圧端子台とが低圧ケーブルで接続されて成ることを特徴とする変圧器盤。
【請求項２】
収容する変圧器より大きな四角形の底枠及び天枠を有し、前記変圧器が高圧受電するために高圧を低圧に変換する変圧器であって、
前記底枠上に前記変圧器が載置されると共に、前記底枠の４隅に立設された支柱を介して前記天枠が連結されて成り、
前記天枠は、前記変圧器の上部を露出させる高さに配置されると共に、前記変圧器の二次側端子が配置された方向の前記支柱の間に低圧端子台が組み付けられて成り、
前記天枠の４隅に、吊り上げのための治具を有すると共に、前記変圧器の二次側端子と前記低圧端子台とが低圧ケーブルで接続されて成ることを特徴とする変圧器盤。
【請求項３】
収容する変圧器より大きな四角形の底枠及び天枠を有し、前記底枠の４隅に立設された支柱を介して前記天枠が連結されたフレーム体に前記変圧器が収容されると共に、前記変圧器が高圧受電するために高圧を低圧に変換する変圧器であって、
前記フレーム体の幅は、収容された前記変圧器の幅より所定量大きく形成され、
前記変圧器の二次側端子が配置された方向の前記支柱の間に低圧端子台が組み付けられて成り、
前記天枠の４隅に、吊り上げのための治具を有すると共に、前記変圧器の二次側端子と前記低圧端子台とが低圧ケーブルで接続されて成ることを特徴とする変圧器盤。
【発明の詳細な説明】
【技術分野】
【０００１】
本発明は、オフィスビルや中高層の集合住宅等の電力の大口需要家に設置される変電設備に関し、特にその一部を構成する変圧器を備えた変圧器盤に関する。
【背景技術】
【０００２】
オフィスビルや中高層の集合住宅等の電力の大口需要家に設置される変電設備は建屋内に電気室が設けられ、その中に引き込まれた高圧電力を低圧に変換する変圧器をはじめ、遮断器、開閉器、保護継電器、コンデンサ、電力ヒューズ、計器用変成器等が配置された。
こうした変電設備は、高圧母線を配設するためのパイプフレームが壁面に取り付けられ、このパイプフレームに固定された高圧カットアウト等の開閉器を介して、高圧母線から分岐した高圧配線が変圧器の一次側に接続された。また、変圧器の二次側は低圧側端子台を介して低圧配電路に接続された（例えば、特許文献１参照）。
【０００３】
一方で、近年の電力の自由化に伴い、高圧一括受電事業者が電力供給事業者から高圧で購入し、顧客は高圧一括受電事業者から低圧電力を購入することが可能となったことで、電力の購入先が変更される場合が発生するようになった。但し、変電設備は購入先の電力会社の所有であるため、電力の購入先が変更された場合はこれらの設備も交換しなければならなかった。
【先行技術文献】
【特許文献】
【０００４】
【特許文献１】特開２００５−３９９３８号公報
【発明の概要】
【発明が解決しようとする課題】
【０００５】
ところが、この交換作業は電力が供給されて使用されている設備が対象となるため、利用者に迷惑がかからないよう停電時間ができるだけ短時間で済むよう入念に段取りを組む必要があった。例えば、撤去から通電開始まで８時間という制限がかけられ、その間に変圧器を始めとする変電設備の入れ替えを行い、高圧母線や低圧側の配線の接続の再接続を行わなければならなかった。
また、電気室も既設の部屋であるため、入口がドアの大きさで決まっており、その間口で搬入しなければならなかった。
【０００６】
一方で、電気室には高圧母線を配設するためのパイプフレームが壁面に沿って組み付けられている場合が多いが、このパイプフレームも従来は撤去して変電設備の入れ替えが成されていたが、作業時間短縮のためにパイプフレーム及びパイプフレームに沿って配設された高圧母線等は撤去せずに、引き続き使用する工法が主流となりつつある。
このように、交換作業の短時間化の工夫が成されているが、それでも時間の制約や間口の制約は引き続きあるし、作業自体が重量物を扱うため、危険を伴い作業者に大きな負担となっていた。
【０００７】
そこで、本発明はこのような問題点に鑑み、変電設備の一部を成す変圧器設備の搬入や交換作業を効率良く実施できる変圧器盤を提供することを目的としている。
【課題を解決するための手段】
【０００８】
上記課題を解決する為に、請求項１の発明に係る変圧器盤は、高圧受電するために高圧を低圧に変換する変圧器が載置された基台と、変圧器の二次側端子が配置された方向の基台の端部に起立配置され、低圧端子台が組み付けられた前面枠とを備え、基台の４隅には基台を吊り上げるための治具が設けられて成ると共に、変圧器の二次側端子と低圧端子台とが低圧ケーブルで接続されて成ることを特徴とする。
この構成によれば、変圧器の二次側と低圧端子台との間にケーブルを配設した状態で変圧器を設置できるため、配電設備工事の時間短縮に効果を奏する。そして、変圧器の一次側が接続される高圧開閉器まで配設された高圧配線設備は、従来の設備から変更することなく変圧器盤に接続でき、設備入れ替えの際の時間短縮に有効である。
【０００９】
請求項２の発明に係る変圧器盤は、収容する変圧器より大きな四角形の底枠及び天枠を有し、変圧器が高圧受電するために高圧を低圧に変換する変圧器であって、底枠上に変圧器が載置されると共に、底枠の４隅に立設された支柱を介して天枠が連結されて成り、天枠は、変圧器の上部を露出させる高さに配置されると共に、変圧器の二次側端子が配置された方向の支柱の間に低圧端子台が組み付けられて成り、天枠の４隅に、吊り上げのための治具を有すると共に、変圧器の二次側端子と低圧端子台とが低圧ケーブルで接続されて成ることを特徴とする。
この構成によれば、変圧器の二次側と低圧端子台とを低圧ケーブルで接続した状態で変圧器を設置できるため、配電設備工事の時間短縮に効果を奏する。また、つり上げの為の治具は天枠に設けられているため、つり上げの際に変圧器にワイヤ等が接触することが無く変圧器を保護できる。
更に、変圧器の上部は天枠から露出しているため、一次側のケーブル接続がし易いし、変圧器の一次側が接続される高圧開閉器まで配設された高圧配線設備は、従来のものから変更することなく変圧器盤に接続でき、設備入れ替えの際の時間短縮に有効である。
【００１０】
請求項３の発明は、収容する変圧器より大きな四角形の底枠及び天枠を有し、底枠の４隅に立設された支柱を介して天枠が連結されたフレーム体に変圧器が収容されると共に、変圧器が高圧受電するために高圧を低圧に変換する変圧器であって、フレーム体は、収容された変圧器の幅より所定量大きい幅を有すると共に、変圧器の二次側端子が配置された方向の支柱の間に低圧端子台が組み付けられて成り、天枠の４隅に、吊り上げのための治具を有すると共に、変圧器の二次側端子と低圧端子台とが低圧ケーブルで接続されて成ることを特徴とする。
この構成によれば、変圧器の二次側と低圧端子台とを低圧ケーブルで接続した状態で変圧器を設置できるため、配電設備工事の時間短縮に効果を奏する。また、つり上げの為の治具は天枠に設けられているため、つり上げの際に変圧器にワイヤ等が接触することが無く変圧器を保護できる。
更に、フレーム体の幅は収容する変圧器の幅より所定量大きいため、複数の変圧器を隣接させて設置する際に各変圧器を収容したフレーム体同士を密着させても、変圧器間に一定の間隔を設けることができる。よって、この一定の距離を変圧器に定められた離間距離以上に設定しておけば、作業者は変圧器相互間に必要な距離を考慮することなく設置作業の時間短縮に有効である。
【発明の効果】
【００１１】
本発明によれば、変圧器の二次側と低圧端子台との間にケーブルを配設した状態で変圧器を設置できるため、配電設備工事の時間短縮に効果を奏する。そして、変圧器の一次側が接続される高圧開閉器までの高圧配線設備は、従来のものから変更することなく変圧器盤を接続でき、設備入れ替えの際の時間短縮に有効である。
【図面の簡単な説明】
【００１２】
【図１】本発明に係る変圧器盤の一例を示す側面説明図である。
【図２】変圧器盤の正面図である。
【図３】変圧器盤の平面図である。
【図４】高圧配線に接続された変圧器盤の説明図である。
【図５】変圧器盤の他の例を示す側面説明図である。
【図６】図５の変圧器盤の平面図である。
【図７】変圧器盤の他の例を示し、複数の変圧器を隣接させて設置した斜視説明図である。
【図８】図７の正面説明図である。
【発明を実施するための形態】
【００１３】
以下、本発明を具体化した実施の形態を、図面を参照して詳細に説明する。図１〜３は本発明に係る変圧器盤の一例を示し、図１は側面説明図、図２は正面図、図３は平面図である。変圧器盤は、変圧器１が基台２上に載置され、基台２の前面側に低圧端子台４が取り付けられた前面枠３が起立配置されて構成されている。
尚、図１は高圧配線を合わせて示し、１０は高圧ケーブル、１１は高圧カットアウト（高圧開閉器）、１２は高圧カットアウトの取り付けや高圧母線の配設を行うためのパイプフレーム、Ｆは設置される床である。また、ここで設置されている変圧器１は、単相変圧器であり、２つの一次側端子１ａ、３つの二次側端子１ｂを有し、入力された単相の高電圧が低圧の単相３線で出力される。
【００１４】
基台２は、鋼材から成るフレームを連結して形成された長方形の枠体であり、図３に示すように変圧器１の固定部位に合わせた幅で前後方向に配置された縦フレーム２１、２１と、その前後位置において横方向に配置された横フレーム２２（前側横フレーム２２ａ、後側横フレーム２２ｂ）とから成り、互いに溶接されて連結されている。また基台２の前後位置には、左右に張り出した吊り上げのためのアイボルト２４が取り付けられた吊り上げ部２３が形成されている。
【００１５】
前面枠３は、基台２を構成する前側横フレーム２２ａ上にネジ止めされて立設され、設置された変圧器１より上方に至る高さを有する左右２本の起立フレーム３ａと、この起立フレーム３ａ間に掛け渡された複数の渡しフレーム３ｂとで構成されている。
そして図２に示すように、低圧端子台４を収容した端子台箱４ａが組み付けられた端子台ボード６と、電圧計１４、電流計１５が取り付けられた計器用ボード７が取り付けられ、計器用ボード７の裏面には変流器１６が取り付けられている。この変流器１６は電流計１５に接続されており、変圧器１の２次側電流を計測するために設置されている。また、電圧計１４は、変圧器１の電圧を計測するための専用端子に接続されている。
前側横フレーム２２ａは、例えば７５０ｍｍの長さを有し、設置される前面枠３の幅Ｗはこの寸法で形成され、３個の端子台箱４ａはこの幅を受けて無理なく左右に並べて設置されている。
【００１６】
尚、図３に示す基台２の奥行きＤは、例えばＤ＝９００ｍｍで作製され、上述した前面枠３の幅Ｗ＝７５０ｍｍと合わせて、例えば１５０ｋＶＡの変圧器を載置できるし、電気室の間口が例えば８００ｍｍと狭くても搬入可能に形成されている。
【００１７】
このように構成された変圧器盤は、変圧器１の二次側端子１ｂと低圧端子台４との間が低圧ケーブル１７で接続され、変圧器１と電圧計１４との間の配線が成された状態で、設置現場に搬入される。そして、基台２の４箇所に取り付けられているアイボルト２４にワイヤを取り付けてクレーン等の重機で持ち上げ、現場に設置される。
図４は、こうして２台の変圧器盤を現場に設置した状態を示し、図４に示すように変圧器盤を所定の位置に設置し、高圧母線９に接続された高圧カットアウト１１と変圧器１との間を高圧ケーブル１０で接続するだけで、低圧端子台４までの配線を完了できる。
【００１８】
このように、変圧器１の二次側端子１ｂと低圧端子台４との間に低圧ケーブル１７を配設した状態で変圧器１を設置できるため、配電設備工事の時間短縮に効果を奏する。そして、変圧器１の一次側が接続される高圧カットアウト１１までの高圧配線設備は、従来のものから変更することなく変圧器盤を接続できるため、設備入れ替えの際の時間短縮に有効である。
【００１９】
次に他の形態を説明する。図５、６は変圧器盤の他の形態を示し、図５は側面説明図、図６は平面図である。ここでは、図６に示すように立方体形状のフレーム体２６の中に変圧器１が収容されている。フレーム体２６は、底部に四角形の底枠２６ａを有し、底枠２６ａの内部に変圧器１の固定部位に合わせて２本の縦フレーム２１が前後方向に掛け渡されて配置されている。この縦フレーム２１と底枠２６ａとで基台２が構成されている。
また、底枠２６ａの４隅には支柱２６ｂが立設され、底枠２６ａと略同一形状の四角形の天枠２６ｃが支柱２６ｂの上部に配置され連結されて形成されている。
【００２０】
但し、天枠２６ｃは変圧器１の上部が露出する位置に配置され、変圧器１の一次側端子１ａ、及び二次側端子１ｂは、フレーム体２６から上方に露出している。そして、フレーム体２６の前面が上述した前面枠３として使用され、端子台ボード６、計器用ボード７が、この前面枠３に取り付けられている。また、天枠２６ｃの４隅には変圧器盤を吊り上げのためのアイボルト２４が取り付けられている。
【００２１】
このように構成された変圧器盤は、上記形態と同様に変圧器１の二次側端子１ｂと低圧端子台４との間が低圧ケーブル１７で接続され、変圧器１と電圧計１４との間の配線が成された状態で、設置現場に搬入される。そして、フレーム体２６の天枠２６ｃの４箇所に取り付けられているアイボルト２４にワイヤを取り付けてクレーン等の重機で持ち上げ、現場に設置される。
【００２２】
このように、変圧器１の二次側端子１ｂと低圧端子台４とを低圧ケーブル１７で接続した状態で変圧器１を設置できるため、配電設備工事の時間短縮に効果を奏する。また、つり上げの為の治具は天枠２６ｃに設けられているため、つり上げの際に変圧器１にワイヤ等が接触することが無く変圧器１を保護できる。
更に、変圧器１の上部はフレーム体２６から露出しているため、一次側のケーブル接続がし易いし、変圧器１の一次側が接続される高圧カットアウト１１までの高圧配線設備は、従来のものから変更することなく変圧器盤を接続できるため、設備入れ替えの際の時間短縮に有効である。
【００２３】
図７，８は更に他の形態の変圧器盤を示し、図７は３台の変圧器盤を隣接させて設置した斜視説明図、図８は図７の正面説明図である。高圧電力が３相で引き込まれる場合はこのように３台の変圧器盤が設置される。但し、上記図５，６の形態と同様に各変圧器盤は前面側枠を有して、端子台ボード、計器用ボード等を備え、天枠にはアイボルトが取り付けられているが省略している。また、同様に変圧器１の二次側端子１ｂと低圧端子台との間が低圧ケーブルで接続され、変圧器１と電圧計との間の配線が成されて設置現場に搬入される構成であるが省略し、ここでは変圧器１を収容するフレーム体のサイズに特徴があり、この特徴部を以下具体的に説明する。
【００２４】
フレーム体３６は上記図５，６の構成と同様に、底部に四角形の底枠３６ａを有し、底枠３６ａの４隅には支柱３６ｂが立設され、底枠３６ａと略同一形状の四角形の天枠３６ｃが支柱３６ｂの上部に配置され連結されて形成されている。
そして図８に示すように、フレーム体３６自体の幅寸法が変圧器１の幅に対して左右それぞれ寸法Ｔ／２ずつ大きく作製されている。
【００２５】
電気室に変圧器１を複数設置する際には、変圧器１同士は一定の距離Ｔ（例えば２００ｍｍ）以上離して設置しなければならない規定（高圧受電設備規定）がある。そこで、図８に示すように、フレーム体３６自体の幅寸法を変圧器１の幅に対して左右それぞれ寸法Ｔ／２大きく作製している。この結果、フレーム体３６を密着させて変圧器盤を配置しても、変圧器１同士は距離Ｔ離して配置される。
尚、図７、８の形態では、フレーム体３６の高さを変圧器１より高く形成しているが、上記図５に示す形態のように、変圧器１より低くしても良い。
【００２６】
このように、変圧器１の幅が搬入スペース（搬入路の幅）に比べて所定寸法以下の大きさである場合は、フレーム体３６の幅を収容する変圧器１の幅より所定量大きく形成することができる。この結果、複数の変圧器１を隣接させて設置する際に各変圧器１を収容したフレーム体３６同士を密着させても、変圧器１間に一定の間隔を設けることができる。よって、この一定の距離を変圧器１に定められた離間距離Ｔ以上に設定しておけば、作業者は変圧器１相互間に必要な距離を考慮することなく設置作業の時間短縮に有効である。
また、変圧器１の二次側と低圧端子台とを低圧ケーブルで接続した状態で変圧器を設置できるため、配電設備工事の時間短縮に効果を奏するし、つり上げの為の治具は天枠３６ｃに設けられているため、つり上げの際に変圧器１にワイヤ等が接触することが無く変圧器１を保護できる。
【符号の説明】
【００２７】
１・・変圧器、１ａ・・一次側端子、１ｂ・・二次側端子、２・・基台、３・・前面枠、４・・低圧端子台、１７・・低圧ケーブル、２４・・アイボルト（吊り上げのための治具）、２６・・フレーム体、２６ａ・・底枠、２６ｃ・・天枠、３６・・フレーム体、３６ａ・・底枠、３６ｃ・・天枠。
【図１】
2018074892.tif 000003
【図２】
2018074892.tif 000004
【図３】
2018074892.tif 000005
【図４】
2018074892.tif 000006
【図５】
2018074892.tif 000007
【図６】
2018074892.tif 000008
【図７】
2018074892.tif 000009
【図８】
2018074892.tif 000010